(57)【要約】【課題】  門型側溝ブロックの設置により側溝を形成する施工法の場合、降雨、降雪、悪天候の際には基礎コンクリートの打設ができないし、手間もかかっていた。また、基礎コンクリート養生に日数がかかる難点があった。これらの点を解決する。【解決手段】  コンクリート製門型側溝ブロック５の設置により側溝を形成するに際して、掘削、砕石転圧等の基礎整地後、整地面へ高さ調整金具10を配置し、該高さ調整金具10上へ門型側溝ブロック５を設置し、高さ調整金具により前記門型側溝ブロックの高さ調整をし、基礎型枠組みをした後、基礎と底版のコンクリート同時一体打設を行なうことを特徴とする門型側溝の施工法。【選択図】  図１
2005264720.tif 000002
【特許請求の範囲】
【請求項１】
コンクリート製門型側溝ブロックの設置により側溝を形成するに際して、掘削、砕石転圧等の基礎整地後、該整地面へ高さ調整金具を配置し、該高さ調整金具上へ門型側溝ブロックを設置し、高さ調整金具により前記門型側溝ブロックの高さ調整をし、基礎と底版のコンクリート同時一体打設を行なうことを特徴とする門型側溝の施工法。
【請求項２】
コンクリート製門型側溝ブロックの設置により側溝を形成するに際して、掘削、砕石転圧等の基礎整地後、高さ調整金具を取り付けた門型側溝ブロックを該基礎整地面へ設置し、該高さ調整金具により前記門型側溝ブロックの高さ調整をし、基礎コンクリートと底版コンクリートとの同時一体打設を行なうことを特徴とする門型側溝の施工法。
【請求項３】
接地盤と、該接地盤上に起立して設けたおねじ部と、該おねじ部に螺着されるめねじ部を有し門型側溝ブロック下縁を受ける受板とからなり、該受板は底板と門型側溝ブロック下縁の側部に添う側板を有してなる門型側溝施工用高さ調整金具。
【発明の詳細な説明】
【技術分野】
【０００１】
本発明は、自由勾配側溝すなわち、コンクリート製門型側溝ブロックを使用して、勾配を設けるか又は平坦な設置面を形成した道路側面等へ容易に側溝を形成する門型側溝の施工法及びそれに用いる高さ調整金具に関する。
【背景技術】
【０００２】
図６に従来の門型側溝の施工法の概要を示したが、（a）施工面１の掘削、基面整正した上に、（b）基礎砕石２を敷き均し、転圧して基礎を整え（基礎整地）、（c）その上へ基礎型枠３組付けをして、（d）これにモルタルを打設して、まず、基礎コンクリート４を形成する。この基礎コンクリートが数日かかって養生を終えた段階で、（e）門型側溝ブロック５を設置し、楔片６で高さ調整をし、底版コンクリート７を打設して施工を完了していた。楔片による高さ調整の難しさを解消するものとしては、特許文献１に門型側溝ブロックの両側下縁部を短冊状の支持プレート上へ載せ、垂直方向の高低調整ボルトにより門型側溝ブロックを最適な高さへ維持し、その状態で門型側溝ブロック下縁とベースコンクリート間に支持部材を詰める施工法が提案されている。この施工法は門型側溝ブロック下縁外側で高低調整ボルトを調節する必要があることから、施工面の掘削もそれだけ多く必要とするため、上部の溝蓋穴から調節する構造についても提案されている（特許文献２）。
【０００３】
【特許文献１】特公平07-45753号公報
【特許文献２】特開平08-158458号公報
【発明の開示】
【発明が解決しようとする課題】
【０００４】
従来の施工法の場合、降雨、降雪、悪天候の際には基礎コンクリートの打設ができないし、手間もかかっていた。また、基礎コンクリート養生に日数がかかる難点があった。更に、門型側溝ブロックの下縁部間に短冊状の支持プレートを使用する場合、作業が煩雑で、しかも部材費が高くつき、作業性も悪い難点があった。
【課題を解決するための手段】
【０００５】
本発明は上記の難点を解決しようとするものであって、コンクリート製門型側溝ブロックの設置により側溝を形成するに際して、掘削、砕石転圧等の基礎整地後、該整地面へ高さ調整金具を配置し、該高さ調整金具上へ門型側溝ブロックを設置し、高さ調整金具により前記門型側溝ブロックの高さ調整をし、必要に応じて基礎型枠組みをした後、基礎コンクリートと底版コンクリートの同時一体打設を行なうことを特徴とする門型側溝の施工法である。
【０００６】
この施工法に使用する高さ調整金具は、接地盤と、該接地盤上に起立して設けたおねじ部と、該おねじ部に螺着されるめねじ部を有し門型側溝ブロック下縁を受ける受板とからなり、該受板は底板と門型側溝ブロック下縁の側部に添う側板を有してなる構造である。
【発明の効果】
【０００７】
本発明によって、従来の施工法の場合の難点であった、降雨、降雪、悪天候の際の基礎コンクリートの打設ができない点を、基礎コンクリートと底版コンクリートの同時一体打設ができることとし解決した。また、基礎コンクリート養生に日数がかかる難点も解消され、高能率で自由勾配側溝の施工を可能にした。
【発明を実施するための最良の形態】
【０００８】
図１から図３は本発明の第１実施例を示している。図１において、（a）施工面１の掘削、基面整正した上に、（b）基礎砕石２を敷き均し、転圧して基礎を整えるところまでは従来通りである。この基礎整地後、（c）その整地面へ本発明では高さ調整金具10を配置する。高さ調整金具10は図２に示す例では門型側溝ブロック５の底部へ４個ずつ用いている。この状態に並べられた高さ調整金具10上へ門型側溝ブロック５を設置しながら、高さ調整金具により門型側溝ブロックの高さ調整をしてレベル出しや勾配を合わせる。そして、必要に応じて（d）のように基礎型枠３を組み付けた後、（e）基礎コンクリート４と底版コンクリート（インバートコンクリート）７の同時一体打設を行なう。
【０００９】
高さ調整金具10は、図３に詳細を示したが、接地盤10aと、その接地盤10a上に起立して設けたおねじ部10bと、このおねじ部10bに螺着されるめねじ部10cを有し門型側溝ブロック５の下縁5aを受ける受板10dとからなる。受板10dは底板10fと門型側溝ブロック下縁の側部に添う側板10g,10gを両側に有している。側板10g,10gが門型側溝ブロック５の下縁5aを挾むように設けられているので、下縁5aに沿って任意な最適位置へスライドさせることができる。めねじ部10cは高さ調整代を有している。接地盤10aとおねじ部10b間は螺着可能である。門型側溝ブロック５の下縁5aとチャンネル状受板10dとの間はねじ10eによって締結可能である。門型側溝ブロック５は上部開口となっており、この開口部から基礎コンクリート４と底版コンクリート７の同時一体打設ができる。
【００１０】
図４,図５は本発明の第２実施例であって、個々の高さ調整金具10が前後２個の門型側溝ブロック５,５に共通して用いられている。門型側溝ブロック５が高さ調整金具 10から外れるおそれがある場合には、門型側溝ブロック５の下縁5aへ下方から孔5bを設けておき、それに高さ調整金具10の受板10dから上方へ突出した突起10fを嵌めるようにしてもよい。孔5bを溝状に設けておけば、高さ調整金具10をスライドさせて任意な位置へ設けることもできる。
【図面の簡単な説明】
【００１１】
【図１】本発明の第１実施例の門型側溝の施工法を実施している様子を示す図である。
【図２】同第１実施例の門型側溝ブロックの据え付け状況を示す斜視図である。
【図３】高さ調整金具の正面図である。
【図４】第２実施例の図２相当斜視図である。
【図５】高さ調整金具の他の実施例の正面図である。
【図６】従来の門型側溝の施工法を実施している様子を示す図である。
【符号の説明】
【００１２】
１  施工面
２  基礎砕石
３  基礎型枠
４  基礎コンクリート
５  門型側溝ブロック
７  底版コンクリート
10  高さ調整金具
【図１】
2005264720.tif 000003
【図２】
2005264720.tif 000004
【図３】
2005264720.tif 000005
【図４】
2005264720.tif 000006
【図５】
2005264720.tif 000007
【図６】
2005264720.tif 000008